(57)【要約】【課題】拍子やテンポあるいは表拍と裏拍との区別や拍の強弱を容易に視認できるメトロノームを提供する。【解決手段】本考案のメトロノーム１ａは、正面上部に逆Ｖ字形に配列された第１基本発光部３ａ〜３ｅからなる拍表示部２ａが形成され、正面下部に拍子又はビート、テンポ、ビート音、音量を設定する入力部９が取付けられ、上面及び側面にそれぞれ電源スイッチ４とスピーカ部１０が設けられた構造であり、所定の発光部により拍の強弱や表裏が表示されることを特徴とする。【選択図】図１
0003123769.tif 000002
【実用新案登録請求の範囲】
【請求項１】
音符に従って楽曲のテンポを光学的に表示するメトロノームにおいて、逆Ｖ字形の各頂点と各辺に略等間隔に配置される複数の発光部からなる拍表示部と、予め設定されたタイミングと長さ又は強度で前記発光部を前記逆Ｖ字形の各辺に沿って順次発光させる制御部とを備えることを特徴とするメトロノーム。
【請求項２】
前記制御部は、頂点に配置されて前記逆Ｖ字形を構成する３つの発光部のうちの１つに裏拍を対応させ、残りの２つの発光部に表拍を対応させて、表拍と裏拍で発光の長さ又は強度が異なる制御を実行することを特徴とする請求項１記載のメトロノーム。
【請求項３】
前記制御部に動作を制御されるスピーカ部を備え、このスピーカ部は前記発光部の発光に同期させて音を発することを特徴とする請求項１又は請求項２に記載のメトロノーム。
【請求項４】
前記発光部の一部は他と異なる色で発光することを特徴とする請求項１乃至請求項３のいずれか１項に記載のメトロノーム。
【考案の詳細な説明】
【技術分野】
【０００１】
本考案は、音楽の練習などに用いられるメトロノームに係り、特に楽曲のテンポを光学的に表示する機能を備えたメトロノームに関する。
【背景技術】
【０００２】
楽器を演奏する場合、演奏者はその楽曲のリズムを正確に刻むことを要求される。そこで、演奏者はリズムを構成する拍子やテンポあるいは拍の強弱を身に付けるため、練習時にはメトロノームを使用することが一般的である。ここで、「リズム」とは、一定時間ごとに刻まれる「拍」という単位に乗って作られるものである。そして、「拍」が強弱をつけて周期的に繰り返されることにより「拍子」がうまれる。また、「拍」の長さの程度によって音楽の「テンポ」が形成される。従って、所定の「拍子」で「拍」を刻んで音を発するメトロノームを用いることによれば、「拍子」や「テンポ」を把握することができる。しかしながら、左右に振れる振り子を備えた従来のメトロノームにおいては、「テンポ」を把握することはできるものの、初心者にとっては一つの拍から次の拍までの時間をイメージすることが難しく、拍の開始のタイミングを正確に捉えることは容易ではないという課題があった。また、楽器を練習する場合には、自分の楽器の音によって、メトロノームの音がかき消されるというおそれがあった。
そこで、このような課題に対処するべく、これまでに様々なメトロノームが開発されており、それに関する発明や考案が開示されている。
【０００３】
例えば、特許文献１には、「メトロノーム」という名称で、楽曲のテンポなどを光学的又は音響的に表示するメトロノームに関する発明が開示されている。
【０００４】
以下、図８を参照しながら、特許文献１に開示された発明について説明する。
図８は従来技術のメトロノームの正面図である。
図８に示すように、従来技術に係る発明であるメトロノームは、ハウジング５１の表面に多数の光源５２が投擲放物線状の弧５３を形成するように配置されるとともに、毎分ビート数を設定するつまみ５５〜５７を有する３桁のカウンタ５４と、拍子を設定するつまみ５８を有する独立のカウンタ５９と、音響的強度若しくは音響的表示の音量を調節するスライドコントローラ６０〜６５と、入／切スイッチ６６とを備えるものである。
上記構造の「メトロノーム」においては、入／切スイッチ６６を入れると光源５２が順次点灯又は消灯することにより、つまみ５５〜５８及びスライドコントローラ６０〜６５を用いてそれぞれ設定されたビート数、拍子及び音響的強度で走行光が弧５３に沿って往復する。従って、使用者は楽曲のテンポや拍子を視覚的に捉えることが可能である。
【０００５】
また、特許文献２には、「電子メトロノーム」という名称で、現在何拍目であるかを視覚的に認識することのできる電子メトロノームに関する発明が開示されている。
特許文献２に開示された発明は、一定の方向に配列された複数の表示素子からなる拍表示列が三角形や四角形の各辺又は対角線をなすように配置されて拍表示手段を形成し、この拍表示手段を予め設定されたテンポや拍子又は音符長データに基づいて順次点灯させるとともに点灯作動を終了するごとに放音する構造となっている。また、表示素子の点灯作動によって表される音符のタイミングと電子楽器に設けられた演奏操作子に対する操作タイミングに不一致が生じた場合に、その不一致が生じた小節を電子楽器の操作者に知覚させる手段を備えている。そして、拍子の種類に対応して点灯する表示素子の拍表示列が変化することを特徴とする。
このような構造の「電子メトロノーム」においては、表示素子は楽曲のテンポに対応するように順次点灯及び消灯を行う。すなわち、操作者は表示素子の点灯状態を確認することによって楽曲のテンポを容易に把握することが可能である。また、現在の拍数に応じて、点灯している表示素子の属する拍表示列が異なる構成となっているため、操作者は点灯中の表示素子の位置を確認することによって、現在何拍目であるかを容易に認識することができる。
【０００６】
【特許文献１】特表２００６−５００５５６号公報
【特許文献２】実開平０４−００３３８９号公報
【考案の開示】
【考案が解決しようとする課題】
【０００７】
しかしながら、上述の従来技術である特許文献１に開示された発明においては、拍の強弱や表拍と裏拍の区別が表示されないため、初心者にとっては正確に拍を刻むことが困難であった。また、８ビート等のリズムを表示する場合に、使用者は各ビート（拍）の開始のタイミングをイメージすることが容易でないという課題があった。
【０００８】
特許文献２に開示された発明においては、拍子やテンポを視覚的に捉えることができるものの、拍の強弱や拍の表裏を光学的に表示する構成となっていないため、初心者は拍の開始のタイミングを容易に捉えることができないという課題があった。
【０００９】
本考案はかかる従来の事情に対処してなされたものであり、拍子やテンポあるいは表拍と裏拍との区別や拍の強弱を容易に視認できるメトロノームを提供することを目的とする。
【課題を解決するための手段】
【００１０】
上記目的を達成するため、請求項１記載の考案は、音符に従って楽曲のテンポを光学的に表示するメトロノームにおいて、逆Ｖ字形の各頂点と各辺に略等間隔に配置される複数の発光部からなる拍表示部と、予め設定されたタイミングと長さ又は強度で発光部を逆Ｖ字形の各辺に沿って順次発光させる制御部とを備えることを特徴とするものである。
このような構成のメトロノームにおいては、発光部の発光のタイミングや発光時間あるいは発光強度の違いによって拍の開始のタイミングや長さ又は強弱が表現される。また、１つの発光部を発光させてから次の発光部を発光させるまでの時間間隔の調節によって拍子やテンポが表現される。さらに、発光部の発光動作は、逆Ｖ字形の各辺を辿って略等速で連続的に往復移動する光の流れを発生させる。そして、この光の流れは、使用者に拍のタイミングをつかみ易くさせるという作用を有する。
【００１１】
また、請求項２記載の考案は、請求項１記載のメトロノームにおいて、制御部は、頂点に配置されて逆Ｖ字形を構成する３つの発光部のうちの１つに裏拍を対応させ、残りの２つの発光部に表拍を対応させて、表拍と裏拍で発光の長さ又は強度が異なる制御を実行することを特徴とするものである。
このような構成のメトロノームにおいては、拍の表裏の区別が光学的に表示される。これにより、使用者は表拍と裏拍の区別を視覚で捉えることが可能となる。
【００１２】
請求項３記載の考案は、請求項１又は請求項２に記載のメトロノームにおいて、制御部に動作を制御されるスピーカ部を備え、このスピーカ部は発光部の発光に同期させて音を発することを特徴とするものである。
このような構成のメトロノームは、拍の開始のタイミングや長さ又は強弱を使用者が視覚のみでなく聴覚によっても捉えることを可能とする。従って、使用者はより正確に拍をイメージすることができる。
【００１３】
請求項４記載の考案は、請求項１乃至請求項３のいずれか１項に記載のメトロノームにおいて、発光部の一部は他と異なる色で発光することを特徴とするものである。
このような構成のメトロノームは、所望の拍を色で識別可能に強調して表示することを可能とする。この場合、使用者は所望の拍を容易に識別することができる。
【考案の効果】
【００１４】
以上説明したように、本考案の請求項１に記載のメトロノームにおいては、使用者は拍表示部の発光状態を視認することで、楽曲の拍子やテンポを容易に把握することが可能である。従って、初心者であっても、各発光部が発光するタイミングを予測して、拍を正確にイメージすることが可能である。
【００１５】
本考案の請求項２に記載のメトロノームにおいては、使用者が表拍と裏拍の違いを明確に意識することが可能であり、初心者でも容易に拍を刻むことができる。
【００１６】
本考案の請求項３に記載のメトロノームにおいては、例えば、楽譜などを見るためにメトロノームから一時的に視線を逸らした場合でも、途切れることなく拍を正確に刻み続けることが可能である。従って、楽器の演奏に集中することができる。
【００１７】
本考案の請求項４に記載の考案においては、楽曲ごとに特に注意すべき拍を指定して、その拍の開始のタイミングを、色彩を介して使用者に強く意識させることが可能である。これにより、使用者は楽曲に対応した効率の良い練習を行うことができる。
【考案を実施するための最良の形態】
【００１８】
以下に、本考案の最良の実施の形態に係るメトロノームの実施例について説明する。
【実施例１】
【００１９】
実施例１のメトロノームについて図１乃至図４を用いて説明する。
図１（ａ）及び（ｂ）はそれぞれ本考案の実施の形態に係るメトロノームの実施例１の正面図及び側面図である。
図１（ａ）及び（ｂ）に示すように、本考案のメトロノーム１ａは、正面上部に拍表示部２ａが逆Ｖ字形をなすように形成され、その下部には切替スイッチ５、テンポ切替スイッチ６、ビート音切替スイッチ７及び音量調整用つまみ８からなる入力部９が取付けられ、上面及び側面にそれぞれ電源スイッチ４とスピーカ部１０が設けられた構造となっている。拍表示部２ａは、逆Ｖ字形の端点に配置される第１基本発光部３ａ，３ｅと、逆Ｖ字形の頂点に配置される第２基本発光部３ｃと、第１基本発光部３ａ，３ｅと第２基本発光部３ｃの中間にそれぞれ配置される第１中間発光部３ｂ，３ｄとから構成される。また、切替スイッチ５のつまみを回転することにより、単純拍子（２拍子、３拍子、４拍子）及び混合拍子（５拍子、７拍子）あるいは４ビート、８ビート、１６ビートのいずれかの拍子やビート（以下、ビート種という。）が選択され、テンポ切替スイッチ６のつまみを回転することによって４０〜２００／分の範囲内の任意のテンポが選択される。さらに、スピーカ部１０が発するビート音はビート音切替スイッチ７のつまみを回転することによって、ドラム音かベル音のいずれかに設定され、その音量は音量調整用つまみ８を左に回すと小さくなり、右に回すと大きくなるように設定される。なお、切替スイッチ５で４〜１６ビートのいずれかを設定すると、スピーカ部１０は後述するように所定の場合にドラム音やベル音に加えてハイハットシンバル等の音を発するように構成されている。
なお、ビート種やビート音あるいはテンポの設定は、本実施例に示された種類や数値に限定されるものではなく、適宜変更可能である。また、電源スイッチ４及びスピーカ部１０の設置箇所も本実施例に示される場合に限定されない。すなわち、電源スイッチ４及びスピーカ部１０はメトロノーム１ａの正面、上面、側面及び背面のいずれの箇所に設けても良い。
【００２０】
次に、本実施例のメトロノーム１ａの動作について図２を用いて説明する。
図２は実施例１のメトロノームのシステム構成図である。なお、図１の構成要素と同じものについては、同一の符号を付してその説明を省略する。
図２に示すように、メトロノーム１ａにおいて、電源スイッチ４をＯＮの状態にすると、まず、切替スイッチ５、テンポ切替スイッチ６、ビート音切替スイッチ７及び音量調整用つまみ８からなる入力部９の操作によって予め設定されたビート種選択信号ａ１、テンポ選択信号ａ２、ビート音選択信号ａ３、音量選択信号ａ４がそれぞれ入力部９から制御部１１に送られる。制御部１１は、データ格納部１５からビート種選択信号ａ１、テンポ選択信号ａ２、ビート音選択信号ａ３、音量選択信号ａ４に応じて、ビート種データｃ１、テンポデータｃ２、ビート音データｃ３、音量データｃ４を読み出して、同時に指令信号ｂ１，ｂ２を送ることにより拍表示部２ａ及びスピーカ部１０を同期させる。そして、拍表示部２ａでは予め設定されたビート種及びテンポを構成するように指令信号ｂ１に従って第１基本発光部３ａ，３ｅ、第２基本発光部３ｃ及び第１中間発光部３ｂ，３ｄが発光する。また、スピーカ部１０は指令信号ｂ２に従い、予め設定されたビート種、テンポ及び音量でドラム音又はベル音を発する。なお、入力部９の操作は、電源スイッチ４がＯＮの状態、すなわち、メトロノーム１ａの動作中に行ってもよい。この場合、変更された設定に従って拍表示部２ａやスピーカ部１０の動作状態が順次切り替わることとなる。
【００２１】
４拍子のリズムを表現する場合を例にとり、拍表示部２ａの発光動作について図３及び図４を用いて説明する。
図３（ａ）及び（ｂ）はテンポを表示する方法の説明図であり、（ｃ）は実施例１のメトロノームの拍表示部の模式図である。なお、図１の構成要素と同じものについては、同一の符号を付してその説明を省略する。
４拍子は、強拍、弱拍、中強拍、弱拍の４拍で一単位になる拍子であり、例えば、４分の４拍子の場合には４分音符を1拍と数える。このとき、図３（ａ）に示すように、１小節は４つの４分音符から構成される。そして、１小節を構成する４つの拍は折れ線１４ａにより模式的に表現することができる。具体的には、線分ＡＢ及び線分ＢＣ、線分ＣＤ及び線分ＤＥ、線分ＥＦ及び線分ＦＧ、線分ＧＨ及び線分ＨＩが１拍目、２拍目、３拍目、４拍目にそれぞれ対応し、各線分の長さは半拍の長さに対応する。このとき、実線で示された線分ＡＢ、線分ＣＤ、線分ＥＦ、線分ＧＨは１〜４拍の表拍を表し、破線で示された線分ＢＣ、線分ＤＥ、線分ＦＧ、線分ＨＩは１〜４拍の裏拍を表している。
いま、折れ線１４ａにおいて、点Ａと点Ｅと点Ｉ、点Ｂと点Ｄと点Ｆと点Ｈ、点Ｃと点Ｇがそれぞれ一致するように各線分を重ね合わせるとともに、上下を反転させると、図３（ｂ）に示すように、逆Ｖ字形の折れ線１４ｂとなる。これにより、点Ａから点Ｉまでの折れ線１４ａ上の等速移動により表現される図３（ａ）の４つの拍は、折れ線１４ｂ上の等速移動によって表現される。そして、図３（ｃ）に示すように、折れ線１４ｂの２つの端点に第１基本発光部３ａ，３ｅをそれぞれ配置し、折れ線１４ｂの頂点に第２基本発光部３ｃを配置し、第１基本発光部３ａ，３ｅと第２基本発光部３ｃの中間にそれぞれ第１中間発光部３ｂ，３ｄを配置して、メトロノーム１ａの拍表示部２ａを形成することによれば、折れ線１４ｂ上の等速移動は第１基本発光部３ａ，３ｅ、第２基本発光部３ｃ及び第１中間発光部３ｂ，３ｄをそれぞれ発光させることによって表示される。すなわち、図３（ｃ）において、拍表示部２ａを第１基本発光部３ａ→第２基本発光部３ｃ→第１基本発光部３ｅ→第２基本発光部３ｃ→第１基本発光部３ａ→第２基本発光部３ｃ→第１基本発光部３ｅ→第２基本発光部３ｃの順番で発光させることにより、図３（ａ）に示した４つの拍が表示されるのである。このとき、拍表示部２ａの逆Ｖ字形の各辺を辿って略等速で連続的に往復移動する光の流れが形成される。
【００２２】
図４（ａ）及び（ｂ）は実施例１のメトロノームによって４拍子を表示する場合の拍表示部とスピーカ部の動作を時系列的に示す図である。
図４（ａ）に示すように、メトロノーム１ａにおいては第１基本発光部３ａ，３ｅ及び第２基本発光部３ｃの発光により、拍の表裏が表示される。すなわち、第１基本発光部３ａ，３ｅが発光する場合は、表拍を示し、第２基本発光部３ｃが発光する場合は、裏拍を示す。また、第１基本発光部３ａは強拍となる１拍目と中強拍となる３拍目に発光し、第１基本発光部３ｅは弱拍となる２拍目及び４拍目に発光する。すなわち、どの発光部が発光しているかを視認することによって、使用者は表拍と裏拍の違いや拍の強弱を容易に把握することができる。さらに、スピーカ部１０は、第１基本発光部３ａ，３ｅの発光と同時にベル音又はドラム音を発する。これは、表拍のタイミングを使用者に明確に意識させる作用がある。加えて、第１中間発光部３ｂ，３ｄは第１基本発光部３ａ，３ｅ及び第２基本発光部３ｃが発光してから１／４拍後に発光する。これにより、第１基本発光部３ａ，３ｅと第１基本発光部３ｅとの間に、拍表示部２ａの逆Ｖ字形の各辺を辿って略等速で連続的に往復移動する光の流れが形成される。従って、使用者は第１基本発光部３ａ，３ｅ及び第２基本発光部３ｃが発光するタイミングを視覚によって容易に捉えることができる。なお、第１基本発光部３ａ，３ｅ及び第２基本発光部３ｃの発光時間はそれぞれ半拍であることが望ましいが、これに限定されるものではなく、互いに混同を生じない範囲で適宜変更可能である。なお、第１中間発光部３ｂ，３ｄを発光させないような構成とすることもできる。また、例えば、図４（ｂ）に示すように、１小節がいろいろな音符や休符で構成される場合には、第１基本発光部３ａ，３ｅ及び第２基本発光部３ｃを音符や休符の長さ（以下、音価という。）に対応して発光させても良い。すなわち、第１基本発光部３ａ，３ｅ及び第２基本発光部３ｃを４分音符の場合は１拍分、８分音符及び８分休符の場合は半拍分、１６分音符及び１６分休符の場合は１／４拍分だけ発光させるのである。これにより、使用者は表拍と裏拍の違いや拍の強弱に加えて、音価を視覚的に捉えることが可能となる。また、スピーカ部１０は音符に対応する発光部の発光と同時にベル音又はドラム音を発する構成となっているため、使用者は表拍と裏拍の違いを聴覚によっても把握することができる。なお、図４（ａ）及び（ｂ）において、拍の長さや音価に対応していない、前述の光の流れを形成するためだけに用いられる発光部の発光時間は、本実施例に示すものに限定されず、適宜変更可能である。ただし、他の発光部との混同を避けるために１／４拍以下とすることが望ましい。また、第１基本発光部３ａと第１基本発光部３ｅを異なる色、異なる強度又は異なる発光時間で発光させても良い。これにより、拍の強弱が視覚的に強調される。さらに、第２基本発光部３ｃを第１基本発光部３ａ，３ｅと異なる色、異なる強度又は異なる発光時間で発光させることもできる。この場合には、表拍と裏拍の違いが視覚的に強調される。加えて、第１基本発光部３ａ，３ｅの発光と同時にスピーカ部１０がそれぞれ異なる音を発して、拍の強弱を音響的に表示しても良い。また、第１基本発光部３ａ，３ｅの場合とは異なる音を第２基本発光部３ｃの発光と同時にスピーカ部１０が発するような構成とすることもできる。この場合、使用者は表拍と裏拍の違いを聴覚で捉えることができる。
なお、２拍子のリズムを表示する方法については、図３及び図４において４拍のうちの前半の２拍を表示する方法と略同一であるため、説明を省略する。
【００２３】
次に、３拍子、５拍子及び７拍子の表示について図５を用いて説明する。
図５（ａ）乃至（ｃ）は実施例１のメトロノームによってそれぞれ３拍子、５拍子及び７拍子を表示する場合の拍表示部とスピーカ部の動作を時系列的に示す図である。なお、５拍子は２拍子と３拍子が組み合わされた混合拍子であり、７拍子は３拍子と４拍子が組み合わされた混合拍子である。
図５（ａ）乃至（ｃ）に示すように、３拍子、５拍子及び７拍子のいずれの場合も第１基本発光部３ａ，３ｅの発光によって表拍が示され、第２基本発光部３ｃの発光によって裏拍が示される。従って、第１基本発光部３ａ，３ｅ及び第２基本発光部３ｃのどちらが発光しているかを視認することにより、使用者は表拍と裏拍の違いを容易にイメージすることができる。また、強拍となる各小節の１拍目には第１基本発光部３ａ，３ｅのいずれかが発光するとともに、スピーカ部１０がベル音又はドラム音を発する。これにより、使用者は拍の強弱を容易に把握することが可能となる。さらに、第１中間発光部３ｂ，３ｄは第１基本発光部３ａ，３ｅ及び第２基本発光部３ｃが発光してから１／４拍後に発光することにより、前述の光の流れを形成する。
【００２４】
さらに、４ビート、８ビート及び１６ビートの表示について図６を用いて説明する。
図６（ａ）乃至（ｃ）はそれぞれ実施例１のメトロノームによって４ビート、８ビート及び１６ビートを表示する場合の拍表示部とスピーカ部の動作を時系列的に示す図である。ここで、４ビート、８ビート及び１６ビートは４拍をそれぞれ４分割、８分割及び１６分割して得られる音符を基本単位とするリズムである。すなわち、４ビート、８ビート及び１６ビートは４分音符、８分音符及び１６分音符をそれぞれ１拍、１／２拍及び１／４拍とする。そして、４ビート、８ビート及び１６ビートはともに２拍目と４拍目にアクセントがある。
図６（ａ）に示すように、メトロノーム１ａは第１基本発光部３ａ，３ｅが４分音符を１拍として、その１拍の長さ分だけ発光するとともに、第１基本発光部３ａ，３ｅの発光と同時にスピーカ部１０が音１（ハイハットシンバル音）及び音２（スネアドラム音）をそれぞれ発して、４ビートを表示する。このとき、第１基本発光部３ａの発光と音１により弱拍が示され、第１基本発光部３ｅの発光と音２により強拍が示される。また、第１中間発光部３ｂ〜３ｄが１／４拍ごとに順次発光し、第１基本発光部３ａと第１基本発光部３ｅの間に光の流れを形成する。
次に、８ビートを表示する場合、メトロノーム１ａは図６（ｂ）に示すように動作する。すなわち、第１基本発光部３ａ，３ｅ及び第２基本発光部３ｃが８分音符を１／２拍として、その１／２拍の長さ分だけ発光し、第１基本発光部３ａ，３ｅ及び第２基本発光部３ｃの発光と同時にスピーカ部１０が音１（ハイハットシンバル音）及び音２（スネアドラム音）をそれぞれ発するのである。この場合、第１基本発光部３ａ及び第２基本発光部３ｃの発光と音１により弱拍が示され、第１基本発光部３ｅの発光と音２により強拍が示される。そして、第１中間発光部３ｂ，３ｄが１／４拍ごとに順次発光し、第１基本発光部３ａと第２基本発光部３ｃ及び第２基本発光部３ｃと第１基本発光部３ｅの間に光の流れを形成する。
さらに、１６ビートを表示する場合には、図６（ｃ）に示すように、メトロノーム１ａは第１基本発光部３ａ，３ｅ、第２基本発光部３ｃ及び第１中間発光部３ｂ，３ｄが１６分音符を１／４拍として、その１／４拍の長さ分だけ発光して光の流れを形成し、第１基本発光部３ａ，３ｅ、第２基本発光部３ｃ及び第１中間発光部３ｂ，３ｄの発光と同時にスピーカ部１０が音１（ハイハットシンバル音）及び音２（スネアドラム音）をそれぞれ発するように構成されている。このとき、第１基本発光部３ａ、第２基本発光部３ｃ及び第１中間発光部３ｂ，３ｄの発光と音１により弱拍が示され、第１基本発光部３ｅの発光と音２により強拍が示される。
このような構成のメトロノーム１ａによれば、使用者は視覚又は聴覚によりビートのリズムを容易に認識することが可能である。なお、図６（ａ）乃至（ｃ）においても、光の流れを形成するためだけに用いられる発光部の発光時間は、図に示される場合に限定されるものではない。ただし、他の発光部との混同を避けるために１／４拍以下であることが望ましい。
以上説明したように、本実施例のメトロノーム１ａによれば、拍の表裏や強弱を視覚によって容易に識別することができるため、初心者であっても拍を正確に刻むことが可能である。
【００２５】
本考案のメトロノームは、本実施例に示す場合に限定されるものではなく、種々変形可能である。例えば、４ビート、８ビート、１６ビートを表示する場合には第１基本発光部３ｅを他の発光部と異なる色や異なる強度あるいは異なる発光時間で発光させても良い。これにより、使用者に拍の強弱を明確に意識させることができる。また、光の流れを形成するためだけに用いられる発光部を他の発光部と異なる色や異なる強度で発光させても良い。さらに、スピーカ部１０を備えず、拍表示部２ａのみを備えた構造とすることもできる。また、単純拍子（２拍子、３拍子、４拍子）と混合拍子（５拍子、７拍子）に加えて複合拍子（６拍子、９拍子、１２拍子）を設定可能な構造としても良い。
【実施例２】
【００２６】
実施例２について図７を用いて説明する。
図７は本考案の実施の形態に係るメトロノームの実施例２の正面図である。なお、図１及び図２の構成要素と同じものについては、同一の符号を付してその説明を省略する。
図７に示すように、本実施例のメトロノーム１ｂは、実施例１において第２中間発光部１２ａ〜１２ｄ及び第３中間発光部１３ａ〜１３ｈが配列された拍表示部２ｂを備えることを特徴とする。具体的には、第１基本発光部３ａと第１中間発光部３ｂの中間に第２中間発光部１２ａが配置され、第１中間発光部３ｂと第２基本発光部３ｃの中間に第２中間発光部１２ｂが配置され、第２基本発光部３ｃと第１中間発光部３ｄの中間に第２中間発光部１２ｃが配置され、第１中間発光部３ｄと第１基本発光部３ｅの中間に第２中間発光部１２ｄが配置されている。そして、第１基本発光部３ａと第２中間発光部１２ａの中間に第３中間発光部１３ａが配置され、第２中間発光部１２ａと第１中間発光部３ｂの中間に第３中間発光部１３ｂが配置され、第１中間発光部３ｂと第２中間発光部１２ｂの中間に第３中間発光部１３ｃが配置され、第２中間発光部１２ｂと第２基本発光部３ｃの中間に第３中間発光部１３ｄが配置され、第２基本発光部３ｃと第２中間発光部１２ｃの中間に第３中間発光部１３ｅが配置され、第２中間発光部１２ｃと第１中間発光部３ｄの中間に第３中間発光部１３ｆが配置され、第１中間発光部３ｄと第２中間発光部１２ｄの中間に第３中間発光部１３ｇが配置され、第２中間発光部１２ｄと第１基本発光部３ｅの中間に第３中間発光部１３ｈが配置されている。
このような構造のメトロノーム１ｂにおいては、３２分音符や６４分音符の音価も表示することができ、一小節を３２や６４で刻むことができる。また、光の流れを形成するために用いる発光部の数を多くすることができる。これにより、使用者は実施例１の場合よりもさらに容易に発光部が発光するタイミングを予測することが可能となる。従って、初心者でも確実に拍を刻むことができる。
【産業上の利用可能性】
【００２７】
以上説明したように、請求項１乃至請求項４に記載された本考案は、液晶画面等に拍表示部の画像を表示する構造のメトロノームについても適用可能である。
【図面の簡単な説明】
【００２８】
【図１】（ａ）及び（ｂ）はそれぞれ本考案の実施の形態に係るメトロノームの実施例１の正面図及び側面図である。
【図２】実施例１のメトロノームのシステム構成図である。
【図３】（ａ）及び（ｂ）はテンポを表示する方法の説明図であり、（ｃ）は実施例１のメトロノームの拍表示部の模式図である。
【図４】（ａ）及び（ｂ）は実施例１のメトロノームによって４拍子を表示する場合の拍表示部とスピーカ部の動作を時系列的に示す図である。
【図５】（ａ）乃至（ｃ）は実施例１のメトロノームによってそれぞれ３拍子、５拍子及び７拍子を表示する場合の拍表示部とスピーカ部の動作を時系列的に示す図である。
【図６】（ａ）乃至（ｃ）はそれぞれ実施例１のメトロノームによって４ビート、８ビート及び１６ビートを表示する場合の拍表示部とスピーカ部の動作を時系列的に示す図である。
【図７】本考案の実施の形態に係るメトロノームの実施例２の正面図である。
【図８】従来技術のメトロノームの正面図である。
【符号の説明】
【００２９】
１ａ，１ｂ…メトロノーム  ２ａ，２ｂ…拍表示部  ３ａ，３ｅ…第１基本発光部  ３ｃ…第２基本発光部  ３ｂ，３ｄ…第１中間発光部  ４…電源スイッチ  ５…切替スイッチ  ６…テンポ切替スイッチ  ７…ビート音切替スイッチ  ８…音量調整用つまみ  ９…入力部  １０…スピーカ部  １１…制御部  １２ａ〜１２ｄ…第２中間発光部  １３ａ〜１３ｈ…第３中間発光部  １４ａ，１４ｂ…折れ線  １５…データ格納部  ａ１…ビート種選択信号  ａ２…テンポ選択信号  ａ３…ビート音選択信号  ａ４…音量選択信号  ｂ１，ｂ２…指令信号  ｃ１…ビート種データ  ｃ２…テンポデータ  ｃ３…ビート音データ  ｃ４…音量データ  ５１…ハウジング  ５２…光源  ５３…弧  ５４…カウンタ  ５５〜５８…つまみ  ５９…カウンタ  ６０〜６５…スライドコントローラ  ６６…入／切スイッチ
【図１】
0003123769.tif 000003
【図２】
0003123769.tif 000004
【図３】
0003123769.tif 000005
【図４】
0003123769.tif 000006
【図５】
0003123769.tif 000007
【図６】
0003123769.tif 000008
【図７】
0003123769.tif 000009
【図８】
0003123769.tif 000010